(57)【要約】      （修正有）【課題】回転させずとも広範囲に風を送ることが可能な送風機のグリル構造を提供する。【解決手段】ガードオーナメント２１と、外周部２２と、前記ガードオーナメントを中心に円形に配置される複数のスラット２３と、スラット支柱２４と、を備え、最も内側に配置される前記スラット２３の外側面は前記ガードオーナメントの側面と平行であり、外側に行くにつれ前記スラット２３の外側面は前記外周部に向かって斜めになっており、前記スラット２３の外側面と前記ガードオーナメント２３の側面と平行な平面は夾角を形成し、前記スラット２３は外側に行くにつれ前記外周部２２との角度が大きくなり、最も外側の前記スラット２３の外側面とガードオーナメントの側面と平行な平面との夾角は４０〜５０度であり、前記スラット２３の備える特定の角度により送風機の風を広範囲（３６０°）に送り出すことが可能となる。【選択図】図２
0003179335.tif 000002
【実用新案登録請求の範囲】
【請求項１】
送風機のグリル構造であって、
ガードオーナメントと、
外周部と、
前記ガードオーナメント及び前記外周部の間に設置され前記ガードオーナメントを中心に円形に配置される複数のスラットと、
スラット支柱と、
を備え、
最も内側に配置される前記スラットの外側面は前記ガードオーナメントの側面と平行であり、外側に行くにつれ前記スラットの外側面は前記外周部に向かって斜めになっており、前記スラットの外側面と前記ガードオーナメントの側面と平行な平面は夾角を形成し、前記スラットは外側に行くにつれ前記外周部との角度が大きくなり、最も外側の前記スラットの外側面とガードオーナメントの側面と平行な平面との夾角は４０〜５０度であることを特徴とするグリル構造。
【請求項２】
最も外側の前記スラットの外側面の前記外周部に最も近づいている部分の距離は３ｍｍ以上であることを特徴とする請求項１に記載のグリル構造。
【請求項３】
それぞれの前記スラットの外側面と前記ガードオーナメントの側面に平行な平面との交点同士の距離が共に等しいことを特徴とする請求項１に記載のグリル構造。
【請求項４】
ボックス型扇風機に設置されることを特徴とする請求項１ないし３のいずれかの項に記載のグリル構造。
【請求項５】
スタンド型扇風機に設置されることを特徴とする請求項１ないし３のいずれかの項に記載のグリル構造。
【請求項６】
天井扇風機に設置されることを特徴とする請求項１ないし３のいずれかの項に記載のグリル構造。
【請求項７】
プラスチックにより構成することを特徴とする請求項１ないし３のいずれかの項に記載のグリル構造。
【請求項８】
金属により構成することを特徴とする請求項１ないし３のいずれかの項に記載のグリル構造。
【考案の詳細な説明】
【技術分野】
【０００１】
本考案は、送風機のグリル構造に関し、より詳しくは、送風機のグリルのスラット形状の改良に関する。
【背景技術】
【０００２】
台湾は亜熱帯気候に属し、周囲を海に囲まれているため、冬以外の季節の大部分が暑く湿った気候である。更に工業の発展により温室効果は日々強まっており、夏の温度は年毎に上昇している。暑さを凌ぐには扇風機などの送風機やクーラーを利用し室温を下げることができるが、クーラーは消費電力が多いため、節電のために２８度に設定し送風機を併用することが多く、室温がそれほど高くないときは送風機のみを使用するのが一般的である。
【０００３】
一般的な送風機は設置場所の要求に応じ、スタンド型扇風機、天井扇風機、ボックス型扇風機などに分けられる。一般的なスタンド型扇風機や天井扇風機は首振り機能を備え、風を様々な方向へ向けることができるが、それほど大きな範囲をカバーするものではなく、更には扇風機の真正面にしか風が来ないため、正面以外の方向には風が当たらない。ボックス型扇風機は首振り機能がなく、前後が開放されたボックス型である。箱型本体の内部にはプロペラ羽根が設置され、前記プロペラ羽根の前側には回転するグリルが設置される。前記グリルに配置されるスラットの形状は放射状或いは交叉状であり、前記グリルを回転させることで前記スラットが風の方向を変化させる。
【先行技術文献】
【特許文献】
【０００４】
【特許文献１】台湾実用新案第Ｍ２７８７８４号
【考案の概要】
【考案が解決しようとする課題】
【０００５】
ボックス型扇風機はグリルを回転させることで風の方向を制御しているが、風の当たる範囲が非常に狭く、人体に風が当たらない角度になることが多い。また、グリルを回転させない場合、風は一定の方向にしか当たらず、その他の位置は無風である。
【０００６】
台湾実用新案第Ｍ２７８７８４号には、従来のボックス型扇風機の構造を改良したものが公開されている。当該改良したボックス型扇風機は、本体に複数のスラットが鎧戸状に設置され、前記スラットは本体内部に設置されるシンクロナスモーターにより垂直方向の角度を変化させることができる。当該ボックス型扇風機の台座には扇風機のスタンドを挿入することが可能なスタンド受け部が設置され、前記スタンド受け部にはシンクロナスモーターが設置され、それにより前記スタンドを左右に回転させることができる。つまり、ボックス型扇風機の本体とスラットはシンクロナスモーターにより左右と垂直方向の角度を変化させることができる。しかし、上述の改良は非常に複雑であり、風の当たる範囲も狭く、設置されるシンクロナスモーターは使用時間が長くなると過熱状態になる欠点がある。
【０００７】
従来の技術に存在する問題を解決するため、本考案の送風機のグリル構造は、回転させずとも広範囲に風を当てることが可能なグリル構造を提供することを課題とする。
【課題を解決するための手段】
【０００８】
上記課題を解決するための、本考案の送風機のグリル構造は、ガードオーナメントと、外周部と、前記ガードオーナメント及び前記外周部の間に設置され前記ガードオーナメントを中心に円形に配置される複数のスラットと、スラット支柱と、を備える。最も内側に配置される前記スラットの外側面は前記ガードオーナメントの側面と平行であり、外側に行くにつれ前記スラットの外側面は前記外周部に向かって斜めになっており、前記スラットの外側面と前記ガードオーナメントの側面と平行な平面は夾角を形成する。前記スラットは外側に行くにつれ前記外周部との角度が大きくなり、最も外側の前記スラットの外側面とガードオーナメントの側面と平行な平面との夾角は４０〜５０度である。前記スラットの備える特定の角度により送風機の風を広範囲に送り出すことが可能となる。本考案の実施例において、最も外側に配置される前記スラットの外側面は前記外周部と３ｍｍ以上離れていることが望ましい。
【０００９】
本考案の実施例として、複数の前記スラットの外側面と前記ガードオーナメントの側面と平行な平面との交点同士の距離は共に等しい。
【００１０】
本考案の異なる実施例として、最も内側に配置される前記スラット以外の複数の前記スラットの外側面は、前記外周部に向かって斜めになっており、これにより前記スラットの外側面と前記ガードオーナメントの側面と平行な平面と夾角を形成している。前記スラットは外側に行くにつれ前記外周部との角度が大きくなる。それぞれの夾角は約５〜１０度ずつ大きくなっており、最も外側の前記スラットの外側面とガードオーナメントの側面と平行な平面との夾角は４０〜５０度である。
【考案の効果】
【００１１】
本考案は従来の技術と比べ、以下のようなメリットがある。
【００１２】
本考案のグリル構造をボックス型扇風機に設置することで、ボックス型扇風機が風を送り出す際、最も内側に配置されるスラットがガードオーナメントを中心に円形に配置され前記ガードオーナメントの側面と平行であるため、風が直接真正面に送り出される。また、外側の前記スラットが前記外周部に向かって斜めになっており前記ガードオーナメントの側面と平行な平面と夾角を形成しているため、送風機の起こす風が斜めになっている前記スラットを通る際に前記スラットの角度方向に送り出される。前記スラットは外側に行くにつれ前記外周部との角度が大きくなっているため、前記外周部に近い風ほど更に広い角度へ送り出され、また前記スラットは円形に配置されているため、風は上下左右全ての方向（360°）に死角なく送り出される。
【００１３】
本考案のグリル構造はあらゆる既知の材料及び材質で製作することができ、プラスチック或いは金属であることが望ましい。
【００１４】
本考案のグリル構造はボックス型扇風機に限らず、スタンド型扇風機や天井扇風機などあらゆる扇風機に利用できる。
【図面の簡単な説明】
【００１５】
【図１】従来のボックス型扇風機の構造を示す説明図である。
【図２】本考案のグリル構造を示す正面図である。
【図３】本考案のグリル構造と風向を示す断面図である。
【図４】本考案のグリル構造を示す断面図である。
【考案を実施するための形態】
【００１６】
以下、本考案の実施例を図面に基づいて説明する。
【００１７】
まず、従来のボックス型扇風機の構造を説明する。図１は従来のボックス型扇風機の構造を示す説明図である。従来のボックス型扇風機は、本体上部１と、本体下部３と、中央に嵌め込まれるグリル２と、を備える。本体上部１及び本体下部３によって構成されるボックス型扇風機の本体の内部に風を送り出すプロペラ羽根を備える。また、前記本体の上部には制御スイッチ４が設置され、起こす風の強弱及びグリル２の回転を制御する。前記本体内の前記プロペラ羽根が起こす風はグリル２に設置されるスラットにより広範囲に送り出される。グリル２が回転していないときは、前記プロペラ羽根の起こす風は前記スラットの間から単一方向に送り出される。
【実施例】
【００１８】
それでは、本考案のグリル構造について説明する。以下「スラットの内側面２３１」とはスラットの両面のうちガードオーナメントの方を向いている側の面を指し、「スラットの外側面２３２」とは外周部の方を向いている側の面を指す。
【００１９】
図２は本考案のグリル構造を示す正面図であり、図３は本考案のグリル構造と風向を示す断面図であり、図４は本考案のグリル構造を示す断面図である。本考案のグリル構造は、ガードオーナメント２１と、外周部２２と、ガードオーナメント２１及び外周部２２の間に設置されガイドオーナメント２１を中心に円形に配置される複数のスラット２３と、複数のスラット支柱２４と、を備える。最も内側のスラット２３の外側面２３２とガードオーナメント２１の側面２１２は平行である。外側のスラットの外側面２３２は外周部２２に向かって斜めになっており、スラットの外側面２３２とガードオーナメントの側面２１２に平行な平面（図中にて破線で示す）は夾角を形成している。スラット２３は外側に行くにつれ外周部２２との角度が大きくなっているため、スラットの外側面２３２とガードオーナメント２１２に平行な平面（図中にて破線で示す）が形成する夾角は大きくなる。最も外側に配置されるスラットの外側面２３２とガードオーナメントの側面２１２に平行な平面は４０から５０度の夾角を形成し、４０から４５度であることが好ましい。図３に示すように、スラット２３が特定の傾斜角を備えることで、送風機が起こす風を広範囲に送り出す。
【００２０】
本考案のスラット２３の配列方法についてより詳しく説明する。本考案のスラット２３はガードオーナメント２１を中心に円形に配置されており、それぞれのスラット２３の外側面２３２とガードオーナメント２１の側面２１２に平行な平面との交点同士の距離は共に等しい。つまり、図４において破線で示す部分のそれぞれの距離（矢印で示す）は互いに等しい。前記それぞれの距離は約１０ｍｍ〜１２ｍｍであり、送風機の大きさにより適宜変更する。最も外側のスラット２３の外側面２３２の最も外周部２２に近づいている部分の距離は３ｍｍ以上であり、これが短すぎると風が送り出せなくなるので、最短距離を指定することでこれを防ぐ。
【００２１】
本考案のグリル構造はボックス型扇風機だけでなく、スタンド式扇風機や天井扇風機などあらゆる扇風機に利用することができる。本考案のグリル構造を備える送風機は、空間内のあらゆる場所に設置することができ、首振り機能などを使用することなく、広い範囲に風を送りだすことが可能である。
【００２２】
本考案のグリル構造は、スラット２３の角度を設計するだけの簡単な構造の改良によって、広い範囲に均等な量の風を送り出すことが可能である。
【００２３】
上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の請求の範囲に含まれる。
【符号の説明】
【００２４】
１      本体上部
２      グリル
２１    ガードオーナメント
２１１  ガードオーナメントの前面
２１２  ガードオーナメントの側面
２２    外周部
２３    スラット
２３１  スラットの内側面
２３２  スラットの外側面
２４    スラット支柱
３      本体下部
４      制御スイッチ
【図１】
0003179335.tif 000003
【図２】
0003179335.tif 000004
【図３】
0003179335.tif 000005
【図４】
0003179335.tif 000006